(57)【要約】      （修正有）【課題】外部雑音の影響を受けにくい生体内血流量検出装置の提供。【解決手段】検出部が、可撓性絶縁フィルム基板３１と、異なる波長の発を発する複数のＬＥＤ３２と、ＬＥＤ３２に接して設けられた第１の受光手段３３１と、ＬＥＤ３２から離れて設けられた第２の受光手段３３２と、ＬＥＤ３２を駆動する駆動回路３４と、受光手段３３１および受光手段３３２の受光信号を増幅する増幅手段３５１，３５２と、各増幅手段からの受光信号をアナログ／ディジタル変換する信号変換手段３８とを有し、基板３１の一面にＬＥＤ３２と受光手段３３１，３３２が配置され、基板３１の他の面に駆動回路３４と増幅手段３５１，３５２が、夫々対応する手段の真裏に設け、それぞれの手段が一面と他の面との間で電気的に接続された生体内血流量検出装置。【選択図】図２
2013192925.tif 000002
【特許請求の範囲】
【請求項１】
検出部およびデータ伝送部を備え、人体の内部臓器内のかつ流量の酸素化ヘモグロビンと脱酸素化ヘモグロビンの量を実時間で観察する生体内血流量検出装置であって、
前記検出部は、可撓性絶縁フィルム基板と、異なる波長の発を発する複数の発光手段と、該発光手段に接して設けられた一つまたは複数の第１の受光手段と、前記発光手段から離れて設けられた一つまたは複数の第２の受光手段と、前記発光手段を駆動する駆動手段と、前記第１の受光手段の受光信号を増幅する第１の増幅手段と、前記第２の受光手段の受光信号を増幅する第２の増幅手段と、各増幅手段からの受光信号をアナログからディジタル受光信号に変換する信号変換手段と、信号を外部に出力する信号線とを有しており、前記可撓性絶縁フィルム基板の一面に前記発光手段と前記第１の受光手段と前記第２の受光手段が配置され、前記可撓性絶縁フィルム基板の他の面に前記駆動回路と前記第１の第１の増幅手段と前記第２の増幅手段とが、夫々前記発光手段および前記第１の受光手段ならびに前記第２の受光手段の真裏に設けられてそれぞれの手段が一面と他の面との間で電気的に接続され、
前記データ伝送装置が、複数の前記検出部に接続されて各検出部からの複数の受光信号を受信し、シリアルデータとして外部に送出するデータ伝送部と、外部からの指令によって各検出手段の発光手段を所定の順序とタイミングをとって発光させる投光・受光制御部手段とを、有する
ことを特徴とする生体内血流量検出装置。
【請求項２】
請求項１に記載の生体内血流慮検出装置において、前記データ検出部が、可前記撓性絶縁フィルム基板の一面に配置された前記発光手段の光放出面と前記第１の受光手段の受光面と前記第２の受光手段の受光面を除き柔軟性を有する樹脂でモールドされ、前記可撓性絶縁フィルム基板の他面に配置された前記駆動回路および前記第１の増幅手段ならびに前記第２の増幅手段と、前記信号変換手段のすべてが前記柔軟性を有する樹脂でモールドされるとともに、前記発光手段と前記第１の受光手段と前記第２の受光手段が配置される受光部領域と前記信号変換手段が配置される信号変換部領域との間の領域に肉薄のモールド部を形成した
ことを特徴とする生体内血流量検出装置。
【請求項３】
請求項２記載の生体内血流量検出装置において、前記柔軟性を有するモールド部材が、シリコーンゴム樹脂である
ことを特徴とする生体内血流量検出装置。
【請求項４】
請求項１ないし請求項３のいずれか１項に記載の生体内血流量検出装置において、
前記発光手段が、７７０ｎｍと８３０ｎｍの波長の近赤外線を発光するＬＥＤであり、血流中の酸素化ヘモグロビンと脱酸素化ヘモグロビンの量を検出する
ことを特徴とする生体内血流量検出装置。
【請求項５】
請求項１ないし請求項４のいずれか１項に記載の生体内血流量検出装置において、
前記データ伝送装置に生体の体動を検出するための加速度センサーを設け、生体の揺れに伴う内臓の変動を検出して、測定値の補正に用いることを特徴とする生体内血流量検出装置。
【発明の詳細な説明】
【技術分野】
【０００１】  本発明は、生体内の臓器内血量を近赤外線を用いて非侵襲的に計測する生体内血流量検出装置に関し、用途として、脳内の血液中の酸素量を非侵襲的に計測する生体内血流量検出装置に関する。さらに、本発明は、上記生体内血流量検出装置の構造および検出部の構造に関する。
【背景技術】
【０００２】  本出願人は、生体内の血液中の酸素量を非侵襲的に測定することによって、運動負荷量を監視する装置に関する発明を出願している（例えば、特許文献１参照）。この監視装置は、人の腕に発光部と受光部を有するヘモグロビン検出手段を当接し、人体の表面ならびに深層部を経由した発光部からの光を受光部で検出し、その検出値から血液中の酸素化ヘモグロビン濃度データと脱酸素化ヘモグロビン濃度データなどを用いて、運動時の負荷量あるいは代謝優位度もしくは脂質代謝速度、脂質代謝量などを演算する手段である。【０００３】  一方、人体に影響が無い近赤外光を用いて脳の血流の状態を可視化する装置として、脳ＮＩＲＳ（Ｎｅａｒ−ｉｎｆｒａｒｅｄ  Ｓｐｅｃｔｒｏｓｃｏｐｙ  ：光トポグラフィ装置）が、株式会社日立製作所の小泉氏によって開発されている（例えば、非特許文献１参照）。近年この装置を用いた研究成果として、脳内血流の酸素化状態がうつ病、双極性障害、統合失調症などの精神疾患の診断に役立つことが分かり、先進医療の手段として受診することが可能となっている。【０００４】  この、光トポグラフィ装置は、異なる波長を有する複数の発光手段およびこの発光手段から異なる距離だけ離れて設けられた複数の受光手段を備えた検出部を、ヒトの額に当接し、発光手段から頭皮に向けて発射された光が頭蓋骨外および頭蓋骨内の脳の部位を経由して複数の受光手段に到達した光を検出し、光の各経路における光の吸収の状況を計測したデータを用いて脳内血流の酸素化ヘモグロビンと脱酸素化ヘモグロビンの量を演算して脳の診断の一助に用いるものである。【０００５】  一方、静岡大学工学部において生体静脈内ガス成分の絶対量を高精度で定量化し、しかも安価に実現できる脳ＮＩＲＳ技術が開発されている。
【先行技術文献】
【特許文献】
【０００６】
【特許文献１】特開２００９−２７９３０８号公報
【非特許文献】
【０００７】
【非特許文献１】ｈｔｔｐ：／／ｗｗｗ．ｈｉｔａｃｈｉ−ｍｅｄｉｃａｌ．ｃｏ．ｊｐ／ｅｎｇｌｉｓｈ／ｐｒｏｄｕｃｔｓ／ｏｐｔ／ｉｎｄｅｘ．ｈｔｍｌ
【発明の概要】
【発明が解決しようとする課題】
【０００８】  しかしながら、脳の血流量の状態を計測する上述の光トポグラフィ装置にも、解決すべきいくつかの課題がある。すなわち、（ア）計測に使用する光が表情筋を経由するのでこの影響を受ける。（イ）測定値が相対的な値としてしか得られず絶対値を得ることができない。（ウ）装置が大きく、被験者の動作が制限される。（エ）装置が大変高価になる。【０００９】  また、上記脳ＮＩＲＳ装置では、生体内（頭蓋骨外および頭蓋骨内脳）を透過した光が極めて微弱なことから、受光部から演算部へ計測信号を伝送する際に外部雑音が計測信号に影響を及ぼすことが、精度の高い演算処理を行う上で障害となっていた。【００２０】  本発明は、生体内血流量検出装置において、検出部を適切な構造とすることによって、生体内を経由して受光する微弱な光の信号を高いＳ／Ｎ比で、演算処理することができる受光部の構造およびこの受光部を備えた生体内血流量検出装置を提供することを課題とする。さらに、本発明は、上記生体内血流量検出装置を安価に提供することを課題とする。
【課題を解決するための手段】
【００２１】  上記課題を解決するために、本発明は、生体内の臓器血流のガス量を、近赤外光を用いて非侵襲的に検出する生体内血流量検出装置である。生体内血流量検出装置は、複数の検出部〈プローブ〉と、検出部の投光・受光を管理してホストＰＣへデータを伝送するデータ伝送部とを有し、検出部とデータ伝送部は有線で結合される。検出部は、発光部と受光部と受光部で受光した光情報をディジタルデータに変換する信号変換部からなり、データ伝送部は、発光部の発光タイミングなどを制御するタイミング制御機能と検出部からの光情報を含むディジタルデータをホストＰＣへ伝送するデータ伝送部とからなる。ホストＰＣとデータ伝送部との間はワイヤレス構造とされている。【００２２】  生体を透過してくる光は、微弱であることから、高いＳ／Ｎ比が要求される。これに対処するために、検出部の構造を、基板を挟んで、光学検出器（ｐｈｏｔｏ−ｄｉｏｄ，ＰＤ）の真裏に半導体増幅器（演算増幅器：ＯＰ−Ａｍｐ）を実装した。これにより、演算増幅器のゲインを２０ｄＢから６０ｄＢまで増幅しても、ノイズは問題となるレベルとならない。【００２３】  検出部はヒトの皮膚に密着させて生体信号を検出する光学的な生体信号を検出する手段であることから、柔軟性を持つフレキシブル基板に検出手段や信号を変換する信号変換器を実装している。信号検出には、複数の光学検出器（例えば、４個）を配置し、人体の形状、例えば、額に密着させる。額は曲面を持っているので、光学検出器を柔軟に密着させる必要がある。そのため、検出部には、必要最小限の部品を配置し、微弱な光学検出器のＳ／Ｎ比を改善する。さらにディジタル変換部、信号伝送部などをの部品が集積し、構造的に屈曲が困難な領域を検出部から距離をとった位置に配置することで、検出器としての機能を満足した構造とする。【００２４】  柔軟性を有する検出器基板全体を柔軟性を損なうことなくシリコーンゴム樹脂で覆う構造とする。さらに、データ伝送部には、体動を検出するための加速度センサーを搭載して生体の揺れに伴う内臓の変動を検出し、測定値の補正に使用する。【００２５】  上記課題を解決するために、本発明は、額に当接するに適した帯状の可撓性絶縁フィルム基板の第１の面上に、異なる波長（例えば、７７０ｎｍ、８３０ｎｍ）の複数の波長の発光手段と、該発光手段に近接した位置（例えば、７〜８ｍｍ）に第１の受光手段、ならびに、前記発光手段から離れた位置（例えば、３０ｍｍおよび３５ｍｍ）に設けた１もしくは複数の第２の受光手段を設け、さらに、前記可撓性絶縁フィルム基板の第１の面の裏面（第２の面）上に、前記第１の受光手段および第２の受光手段の検出信号を増幅する演算増幅器（オペアンプを）第１の面上の第１の受光手段および第２の受光手段に対応して設けることによって、受光手段と演算増幅器の距離をきわめて短い値とし、各受光手段から演算増幅器の間で信号が伝達される間に雑音が重畳されることを阻止する。【００２６】  検出部およびデータ伝送部を備え、人体の内部臓器内のかつ流量の酸素化ヘモグロビンと脱酸素化ヘモグロビンの量を実時間で観察する生体内血流量検出装置であって、前記検出部は、可撓性絶縁フィルム基板と、異なる波長の発を発する複数の発光手段と、該発光手段に接して設けられた一つまたは複数の第１の受光手段と、前記発光手段から離れて設けられた一つまたは複数の第２の受光手段と、前記発光手段を駆動する駆動手段と、前記第１の受光手段の受光信号を増幅する第１の増幅手段と、前記第２の受光手段の受光信号を増幅する第２の増幅手段と、各増幅手段からの受光信号をアナログからディジタル受光信号に変換する信号変換手段と、信号を外部に出力する信号線とを有しており、前記可撓性絶縁フィルム基板の一面に前記発光手段と前記第１の受光手段と前記第２の受光手段が配置され、前記可撓性絶縁フィルム基板の他の面に前記駆動回路と前記第１の第１の増幅手段と前記第２の増幅手段とが、夫々前記発光手段および前記第１の受光手段ならびに前記第２の受光手段の真裏に設けられてそれぞれに手段が一面と他の面との間で電気的に接続され、前記データ伝送装置が、複数の前記検出部に接続されて各検出部からの複数の受光信号を受信し、シリアルデータとして外部に送出するデータ伝送部と、外部からの指令によって各検出手段の発光手段を所定の順序とタイミングをとって発光させる投光・受光制御部手段とを有する。【００２７】  上記生体内血流慮検出装置において、前記データ検出部が、可前記撓性絶縁フィルム基板の一面に配置された前記発光手段の光放出面と前記第１の受光手段の受光面と前記第２の受光手段の受光面を除き柔軟性を有する樹脂でモールドされ、前記可撓性絶縁フィルム基板の他面に配置された前記駆動回路および前記第１の増幅手段ならびに前記第２の増幅手段と、前記信号変換手段のすべてが前記柔軟性を有する樹脂でモールドされるとともに、前記発光手段と前記第１の受光手段と前記第２の受光手段が配置される受光部領域と前記信号変換手段が配置される信号変換部領域との間の領域に肉薄のモールド部を形成した。【００２８】  前記生体内血流量検出装置において、前記柔軟性を有するモールド部材を、シリコーンゴム樹脂でとした。【００２９】  前記生体内血流量検出装置において、前記発光手段が、７７０ｎｍと８３０ｎｍの波長の近赤外線を発光するＬＥＤであり、血流中の酸素化ヘモグロビンと脱酸素化ヘモグロヒンの量を検出する。【００３０】  生体内血流量検出装置において、前記データ伝送装置に生体の体動を検出するための加速度センサーを設け、生体の揺れに伴う内臓の変動を検出して、測定値の補正に用いる。【００３１】
【図面の簡単な説明】
【００３２】
【図１】図１は、本発明にかかる生体内血流慮湯検出装置の構成の概要を説明するための機能ブロック図である。
【図２】図２は、本発明にかかる生体内血流量検出装置の検出部の構造を説明するための概念図であり、図２（Ａ）は検出部の上面図、図２（Ｂ）は検出部の一部を破断面で示す正面図、図２（Ｃ）は検出部のモールドをはがした状態を説明する底面図である。
【発明を実施するための形態】
【実施例】
【００３３】  本発明の第１の実施例にかかる生体内血流量検出装置の構成を、図１、図２を用いて説明する。【００３４】  図１に示す本発明にかかる生体内血流量検出装置１は、脳内の血流中の酸素化ヘモグロビンと脱酸素化ヘモグロビンの量を検出する検出部３と、該検出部３で検出した検出信号をディジタル信号に変換してシリアルデータとして送出するデータ伝送部５と、検出部で検出した信号に基づいて脳内血流中の酸素化ヘモグロビン流量信号および脱酸素化ヘモグロビン流量に基づいて脳内の酸素化血流量を演算し観察しやすい画像を生成し表示部に表示する演算機能および信号処理機能ならびに画像表示機能を有するホストパソコン（ＰＣ）７とから構成される。【００３５】  〈検出部〉
検出部３は、ヒトの額に当接して脳内の血流中の酸素化ヘモグロビン量と脱酸素化ヘモグロビン量の情報を含む光信号を検出する検出手段である。図２（Ａ）、図２（Ｂ）、図２（Ｃ）に示すように、検出部３は、可撓性絶縁フィルム基板３１の上面（第１の面）に発光手段３２と、第１の受光手段３３１Ａ、３３１Ｂ（３３１Ａ，３３１Ｂを区別して示す必要が無いときには、単に３３１と表記する）と、第２の受光手段３３２Ａ、３３２Ｂ（３３２Ａ，３３２Ｂを区別して示す必要が無いときには、単に３３２として表記する。）とが、設けられ、発光手段３２の発光面および第１の受光手段３３１ならびに第２の受光手段３３２の受光面を除いてシリコーンゴム樹脂によってモールドされて、モールド部３７を形成している。このモールド部３７の一部、例えば発光手段ならびに受光手段を配置した部分と、後述する信号処理手段を配置した部分の間に薄いモールド部を形成し、検出部３がヒトの額により密接に密着するようにしている（図２（Ｂ））。さらにモールド部３７にシリコーンゴム樹脂を用いることによって、検出部３が可撓性を有することにより、検出部３を額や頭部に密接させることができ、また、検出部３をヒトに当接させるときに肌触りのよいものとしている。【００３６】  可撓性絶縁フィルム基板３１の下面（第２の面）に発光手段３２の駆動回路３４と、第１の受光手段３３１Ａ，３３１Ｂの出力を処理する演算増幅器やコンデンサや抵抗器などの第１の回路部３５１Ａ，３５１Ｂ、第２の受光手段３３２Ａ，３３２Ｂの出力を処理する演算増幅器やコンデンサや抵抗器などの第２の回路部３５２Ａ，３５２Ｂが、夫々発光手段３２、第１の受光手段３３１Ａ，３３１Ｂ，第２の受光手段３３２Ａ，３３２Ｂに電気的に接続され、夫々の真下に配置されている。このことにより、各受光手段と演算回路の間の距離が極めて短くなり、検出した微弱な信号に外部雑音が重畳する恐れが極めて小さくなる。さらに、可撓性絶縁フィルム３１の下面（第２の面）には、検出した信号をアナログ信号からディジタル信号に変換し、各受光手段からの信号をシリアル信号としてデータ伝送部５へ出力する信号変換部３８が設けられている。各駆動回路３２、第１の回路部３５１Ａ，３５１Ｂ、第２の回路部３５２Ａ，３５２Ｂ、信号変換部３８は、夫々シリコーンゴム樹脂によってモールドされている。【００３７】  信号変換部３８でアナログ信号からディジタル信号に変換されたシリアル信号は、信号線３９によって、データ伝送部５へ出力される。【００３８】  上記可撓性絶縁フィルム基板３１は、例えば、ポリプロピレンなどの配線基板としての強度を有し電気絶縁性を有する可撓性を有する回路基板用のフィルムを用いることができる。基板３１の第１の面には発光手段３２および受光手段３３１，３３２を配置接続する端子部が設けられ、第２の面には、駆動回路３４、第１の回路部３５１Ａ，３５１Ｂ（３５１Ａ，３５１Ｂを区別して示す必要が無いときには３５１と表記する。）、第２の回路部３５２Ａ，３５２Ｂ（３５２，３６２Ｂを区別して示す必要が無いときには、単に３５２と云表記する。）、信号変換部３８を載置接続する端子部および各端部に接続する配線が設けられる。さらに、基板３２の第２の面には、信号変換部３８と、後述するデータ伝送部５との間を接続する信号線３９の端子部などが設けられる。【００３９】  発光手段３２は、例えば、異なる特定の波長を放出する例えば２個のＬＥＤから構成される。この波長は、例えば、７７０ｎｍ、８３０ｎｍが用いられる。この波長を有する光は、ヒトの体内を経由したときに、７７０ｎｍの波長が酸素化ヘモグロビンに吸収され、８３０ｎｍが脱酸素化ヘモグロビンに吸収される。光の波長によって、夫々のヘモグロビンに吸収される量が異なるので、夫々の波長の発光強度が定められており、夫々の波長の受光強度を検出することで、血流中の酸素化ヘモグロビンおよび脱酸素化ヘモグロビンの量を実時間で検出することができる。【００４０】  第１の受光手段３３１Ａ，３３１Ｂは、発光手段３２から例えば数ｍｍ離れた個所に近接して設けられる。第１の受光手段３３１は、ヒトの頭骸骨外の筋肉および皮膚層を経由して反射拡散した光を主として受光する。この情報は、顔の表情を動かした時に表層筋肉の光経路に生じる誤差を補正するのに用いられる。【００４１】  第２の受光手段３３２Ａ，３３２Ｂは、発光手段３２から例えば３０ｍｍ、３５ｍｍ離れた位置に配置される。第２の発光手段３３２は、ヒトの頭蓋骨内の脳の前頭葉部分を経由して反射拡散した光を主として受光する。この情報は、脳の前頭葉部の血流中の酸素化ヘモグロビンおよび脱酸素化ヘモグロビンの量を検出するのに用いられる。【００４２】  可撓性絶縁フィルム基板３１の裏面に設けた駆動回路３４は、ＬＥＤ３２を予め設定された順序と周期で２つのＬＥＤ３２を順次パルス駆動する回路である。また、第１の回路部３５１Ａ，３５１Ｂは、演算増幅器およびコンデンサならびに抵抗などから構成され、第１の受光手段３３１Ａ，３３１Ｂのアナログ信号出力を増幅する。同様に、演算増幅器およびコンデンサならびに抵抗などから構成される第２の回路部３５２Ａ，３５２Ｂは、第２の受光手段３３２Ａ，３３２Ｂのアナログ信号出力を増幅する。【００４３】  信号変換部３８は、各受光手段３３からのアナログ信号をディジタル信号に変換して、あらかじめ定められた順序でシリアルデータとして信号線３９からデータ伝送部５へ出力する働きを有している。信号変換部３８は、データ伝送部５からの指令により、所定の強度と所定の周期で、前記駆動回路３４を動作させる働きを有している。【００４４】  ＬＥＤ３２からの光は、額や頭皮から頭蓋骨内の脳の前頭葉に投入され、頭蓋骨外の額や頭皮の表皮内部または頭蓋骨内の脳の前頭葉内部を反射拡散し、その一部が第１の受光手段３３１および第２の受光手段３３２に到達する。第２の受光手段３３２に到達する光量は極めて微細な量であり、この信号が次段の演算処理手段である演算増幅器へ送られるまでに外部雑音が重畳されると、正確なデータを演算処理することが難しくなるおそれがある。脳内を反射拡散して第２の受光手段３３２に到達する光量は極めて微細であり、演算増幅器までの間で信号に外部雑音が重畳されることを極力避けなければならない。本実施例では、受光手段と回路部の間の距離をきわめて短いものとしたので、演算増幅器のゲインを２０ｄＢから６０ｄＢまで増幅しても、ノイズは問題となるレベルにはならない。【００４５】  〈データ伝送部〉
データ伝送部５は、複数の検出部３から送られてきた情報を整理してパソコン７に送出する機能と、複数の検出部３のＬＥＤ３２の発光タイミングなどを制御する機能を有する処理手段である。データ伝送部５は、例えば、８個の検出部３に接続され、各検出部３から送られてくるディジタルデータを、予め設定された所定の順序のシリアルデータとしでパソコン７に送出する働きを有している。データ伝送部５とパソコン７との間はワイヤレス構造とすることができる。【００４６】  データ伝送部に生体の体動を検出するための加速度センサーを設け、生体の揺れに伴う内臓の変動を検出して、測定値の補正に用いる。【００４７】  〈ホストパソコン（ＰＣ）〉
ホストＰＣ７は、演算処理機能と表示機能を有する通常のパソコンであってよく、例えば無線ＬＡＮを介してデータ伝送部５から送られてきた受光情報に基づいて、脳の前頭葉部における血流中の酸素化ヘモグロビンおよび脱酸素化ヘモグロビンの量を実時間で演算して、前頭葉における血流の状況を表示部に画像として表示するように演算処理する働きを有している。【００４８】（動作の説明）
この検出器３を用いた生体内血流量検出装置の動作の概要の例を説明する。まず、準備条件として、複数の例えば４個の検出部３を、被験者に額に密着させる。各検出部３の出力を例えば被験者の体に取り付けたデータ伝送装置５に接続する。データ伝送部５とホストＰＣ７との間を無線ＬＡＮなどで接続する。【００４９】  ホストＰＣ７が検査の開始を指示すると、測定者は、安静な状態にある被験者に、思考を必要とする課題を与える。このときホストＰＣ７の指示により、信号変換部３８が所定の周期で各検出部３のＬＥＤ３２を互いに重複しないように駆動させるタイミング信号を出力する。各検出部３のＬＥＤ３２が、このタイミング信号によって、それぞれ、７７０ｎｍ、８３０ｎｍの光を被験者に向けて順次投光する。【００５０】    各検出部３の受光手段３３１，３３２が体内を経由した反射拡散光を受光する。受光した微細な光信号（受光信号）が、回路部３５１，３５２の演算増幅器で大幅に増幅され、信号変換部３８に伝達される。信号変換部３８は、アナログデータの受光情報をディジタル情報の受光信号に変換し、複数の検出部３からの受光信号を、例えばシリアルデータとして、無線ＬＡＮを介してホストＰＣ７に伝送する。【００】  ホストＰ５１Ｃ７は、データ伝送装置５から受信した各検出部３の受光手段３３が検出した複数のディジタル受光信号を用いて脳の前頭葉内の血流中の酸素化ヘモグロビン量と脱酸素化ヘモグロビン量を演算して、前頭葉内の一つまたは複数の箇所の酸素化ヘモグロビン量および・または脱酸素化ヘモグロビン量を、曲線や脳模式図に色信号などとして表示する。【００５２】  診断者は、この表示を観察して、被験者の症状を診断する。【００５３】
【符号の説明】
【００５４】１：脳ＮＩＲＳ装置
３：検出部
３１：可撓性絶縁フィルム基板
３２：発光手段（ＬＥＤ）
３３：受光手段（フォトダイオード）
３４：駆動回路
３５：回路部（演算増幅器、コンデンサ、抵抗）
３７：モールド部
３８：信号変換部
３９：信号線
５：データ伝送部
５１：投光・受光制御部（タイミング制御）
５２：データ処理部
５３：データ通信部（無線ＬＡＮ）
７：ホストパソコン（ＰＣ）【００５５】  以上のように、本発明によれば、簡単な構造で安価な検出部と、データ伝送部を用いて、人体の血流中の酸素化ヘモグロビンと脱酸素化ヘモグロビンの量を実時間で観察することができる。この検出手段を脳ＮＩＲＳ装置に使用したときには、実時間で脳前頭葉内の血流中の酸素化ヘモグロビンと脱酸素化ヘモグロビンの量を観察することができるので、精神疾患の診断の有力な助けとなる。
【図１】
2013192925.tif 000003
【図２】
2013192925.tif 000004